(57)【要約】【課題】データ表示装置を使用可能な状態とするまでに要する時間を短くすること。【解決手段】ユーザが普段の業務で作成したコンテンツデータを格納しているファイルサーバ３からコンテンツデータを取得し、そのコンテンツデータをデータ表示装置３のＦｅＲＡＭ７に格納するようにした。そのため、データ表示装置４のＦｅＲＡＭ７に常に前記コンテンツデータが記憶されている状態とすることができ、例えば、データ表示装置４を複数人で共用する場合、データ表示装置４を使用することが決まった後に、表示対象となるコンテンツデータをデータ表示装置４に転送する作業を行う方法に比べ、データ表示装置４を使用可能な状態とするまでに要する時間を短くすることができる。【選択図】図１
2007219796.tif 000002
【特許請求の範囲】
【請求項１】
特定のユーザに対応づけられた複数の所定データを取得して転送するデータ転送装置と、その転送された所定データを取得して表示するデータ表示装置と、を備えたデータ表示システムであって、
前記データ転送装置は、複数のユーザそれぞれに対応づけられた前記所定データを全て転送し、
前記データ表示装置は、前記転送された所定データを取得して記憶する記憶手段と、自装置を操作しているユーザを特定する特定手段と、その特定されたユーザ以外に対応づけられている前記所定データを前記記憶手段から破棄して、前記記憶手段に空き領域を形成する破棄手段と、を備えたことを特徴とするデータ表示システム。
【請求項２】
前記記憶手段の空き領域をワークエリアとして、前記記憶手段に記憶されている前記所定データの表示処理を実行する処理手段を備えたことを特徴とする請求項１に記載のデータ表示システム。
【請求項３】
前記記憶手段は、ＦｅＲＡＭ又はＭＲＡＭであることを特徴とする請求項１又は２に記載のデータ表示システム。
【請求項４】
特定のユーザに対応づけられた複数の所定データを取得して転送するデータ転送装置と、その転送された所定データを取得して表示するデータ表示装置と、を備えたデータ表示システムのデータ表示装置であって、
前記転送された所定データを取得して記憶する記憶手段と、自装置を操作しているユーザを特定する特定手段と、その特定されたユーザ以外に対応づけられている前記所定データを前記記憶手段から破棄して、前記記憶手段に空き領域を形成する破棄手段と、前記記憶手段の空き領域をワークエリアとして、前記記憶手段に記憶されている前記所定データの表示処理を実行する処理手段と、を備えたことを特徴とするデータ表示装置。
【発明の詳細な説明】
【技術分野】
【０００１】
本発明は、所定データを取得して転送するデータ転送装置と、その転送された所定データを取得して表示する複数のデータ表示装置と、を備えたデータ表示システム、及び当該データ表示システムのデータ表示装置に関する。
【背景技術】
【０００２】
従来、この種の技術としては、例えば、表示対象となるデータを生成して、ユーザ操作による任意のタイミングで転送するコンピュータと、その転送されたデータを取得して表示するデータ表示装置と、を備えたものがある（例えば、特許文献１参照）。
【特許文献１】特開２００１−２６５７４６号公報
【発明の開示】
【発明が解決しようとする課題】
【０００３】
しかしながら、上記従来の技術にあっては、例えば、データ表示装置を複数人で共用する場合、データ表示装置の使用を希望するユーザは、データ表示装置を保管場所から取り出し、そのデータ表示装置に表示対象となるデータを転送する作業を行わなければならず、その結果、使用可能な状態となるまでに多くの時間がかかるという問題があった。
本発明は、上記従来の技術の未解決の問題点を解決することを目的とするものであって、データ表示装置を使用可能な状態とするまでに要する時間を短くすることができるデータ表示システム、及びデータ表示装置を提供することを課題とする。
【課題を解決するための手段】
【０００４】
上記課題を解決するために、本発明のデータ表示システムは、特定のユーザに対応づけられた複数の所定データを取得して転送するデータ転送装置と、その転送された所定データを取得して表示するデータ表示装置と、を備えたデータ表示システムであって、前記データ転送装置は、複数のユーザそれぞれに対応づけられた前記所定データを全て転送し、前記データ表示装置は、前記転送された所定データを取得して記憶する記憶手段と、自装置を操作しているユーザを特定する特定手段と、その特定されたユーザ以外に対応づけられている前記所定データを前記記憶手段から破棄して、前記記憶手段に空き領域を形成する破棄手段と、を備えたことを特徴とする。
【０００５】
また、前記記憶手段の空き領域をワークエリアとして、前記記憶手段に記憶されている前記所定データの表示処理を実行する処理手段を備えたことを特徴とする。
さらに、前記記憶手段は、ＦｅＲＡＭ又はＭＲＡＭであってもよい。
また、本発明のデータ表示装置は、特定のユーザに対応づけられた複数の所定データを取得して転送するデータ転送装置と、その転送された所定データを取得して表示するデータ表示装置と、を備えたデータ表示システムのデータ表示装置であって、前記転送された所定データを取得して記憶する記憶手段と、自装置を操作しているユーザを特定する特定手段と、その特定されたユーザ以外に対応づけられている前記所定データを前記記憶手段から破棄して、前記記憶手段に空き領域を形成する破棄手段と、前記記憶手段の空き領域をワークエリアとして、前記記憶手段に記憶されている前記所定データの表示処理を実行する処理手段と、を備えたことを特徴とする。
【０００６】
このような構成によれば、ユーザが普段の業務で作成したデータを格納している記憶装置（例えば、ファイルサーバ）からデータを取得するように設定することで、データ表示装置の記憶手段に常に前記データが記憶されている状態とすることができる。そのため、例えば、データ表示装置を複数人で共用する場合、データ表示装置を使用することが決まった後に、表示対象となるデータをデータ表示装置に転送する作業を行う方法に比べ、データ表示装置を使用可能な状態とするまでに要する時間を短くすることができる。
【発明を実施するための最良の形態】
【０００７】
以下、本発明のデータ表示システムの一実施形態を図面に基づいて説明する。
＜データ表示システムの構成＞
図１は、本発明を適用したデータ表示システム１の概略構成を示す構成図である。この図１に示すように、データ表示システム１は、複数のパーソナルコンピュータ２、ファイルサーバ３、及び複数のコンテンツ表示装置４を含んで構成される。
【０００８】
パーソナルコンピュータ２は、それぞれユーザに対応して設けられ、ユーザの操作により、表示対象となるコンテンツのデータ（コンテンツデータ）に前記ユーザを特定可能な情報を付加してファイルサーバ３に送信する。
ファイルサーバ３は、図２に示すように、パーソナルコンピュータ２から送信されるコンテンツデータを格納する（ステップＳ１０１、Ｓ１０２）。
【０００９】
また、ファイルサーバ３は、複数のコンテンツ表示装置４を接続可能な構成となっている。そして、ファイルサーバ３は、接続されているコンテンツ表示装置４それぞれに、格納しているコンテンツデータを圧縮して送信する（ステップＳ１０２）。
コンテンツ表示装置４は、図３に示すように、通信コントローラ５、指紋読取器６、ＦｅＲＡＭ(Ferroelectric Random Access Memory)７、ＣＰＵ(Central Processing Unit)８、及び表示体コントローラ９を含んで構成される。
【００１０】
通信コントローラ５は、ファイルサーバ３から送信される圧縮されたコンテンツデータ（圧縮データ）を受信してＦｅＲＡＭ６に格納させる。
指紋読取器６は、ユーザが指を押し当てると、その押し当てた指の指紋の特徴部（指紋特徴部）を検出する。
ＦｅＲＡＭ７は、ＤＲＡＭ(dynamic random access memory)及びＦｌａｓｈＲＯＭ(Read Only Memory)両方の特性を備えるメモリである。すなわち、データを高速で読み書き可能であり、且つ、電源遮断後もデータを保持し続ける特性を備える。
【００１１】
そして、ＦｅＲＡＭ７は、ＣＰＵ８で実行される各種処理のプログラム、及び通信コントローラ５で受信された圧縮データを格納する。また、ＦｅＲＡＭ７は、ＣＰＵ８による各種処理の実行時に、ワークエリア（データ処理時に一時的に使用される記憶領域）を形成するとともに、当該処理の処理結果を格納する。
ＣＰＵ８は、ユーザによる操作入力に従って、ＦeＲＡＭ７に格納されている各種プログラムを読み出し、ＦｅＲＡＭ７に展開して（ＦｅＲＡＭ７をワークエリアとして）各種処理を実行し、データ表示装置４の各部５〜９を制御する。
【００１２】
具体的には、ＣＰＵ８は、図４に示すように、指紋読取器６で指紋特徴部が検出されると、その検出された指紋特徴部と一致するユーザを特定する（ステップＳ２０１）。そして、ＣＰＵ８は、ユーザを特定できた場合には、そのユーザのユーザ情報が付加されているコンテンツデータ（圧縮データ）のみを解凍して圧縮データは全て破棄し、ＦｅＲＡＭ６の空き領域を拡大する（ステップＳ２０２、Ｓ２０３）。
【００１３】
なお、前記検出された指紋特徴部と一致するユーザを特定できなかった場合には、ユーザによる操作入力を受け付けない状態とするとともに、ＦｅＲＡＭ６に格納されている圧縮データを全て破棄する（ステップＳ２０４）。
さらに、ＣＰＵ８は、前記特定されたユーザによってコンテンツの表示操作がされると、前記解凍されたコンテンツを表示体（不図示）に表示させる命令（表示命令）を表示コントローラ９に出力する。
表示体コントローラ９は、ＣＰＵ８から表示命令が出力されると、その表示命令が指示するコンテンツの画像を表示体に描画する。
【００１４】
〈データ表示システムの具体的動作〉
次に、本実施形態のデータ表示システム１の動作を具体的状況に基づいて説明する。
まず、ファイルサーバ３に複数のコンテンツ表示装置４が接続されている状態で、各ユーザがパーソナルコンピュータ２を操作し、普段の業務で作成したコンテンツデータをファイルサーバ３に格納したとする。すると、ファイルサーバ３によって、図２に示すように、パーソナルコンピュータ２から送信されるコンテンツデータが格納され（ステップＳ１０１、Ｓ１０２）、接続されているコンテンツ表示装置４それぞれに、前記格納されたコンテンツデータのコピーデータが圧縮されて送信される（ステップＳ１０２）。
【００１５】
また、コンテンツ表示装置４の通信コントローラ５によって、ファイルサーバ３から送信された圧縮されたコンテンツデータ（圧縮データ）がＦｅＲＡＭ７に格納される。これにより、図５に示すように、ファイルサーバ３に格納されているコンテンツデータと同じもの（全ユーザのコンテンツデータ）が、コンテンツ表示装置４それぞれに格納される。
ここで、図６に示すように、ファイルサーバ３に接続されているコンテンツ表示装置４をユーザＣが取り外し、指紋読取器６に指を押し当てたとする。すると、指紋読取器６によって、その押し当てた指の指紋の特徴部（指紋特徴部）が検出され、ＣＰＵ８によって、その指紋特徴部と一致するユーザが特定され、図７に示すように、そのユーザのユーザ情報が付加されているコンテンツデータ（圧縮データ）のみが解凍されて圧縮データは全て破棄され、ＦｅＲＡＭ６の空き領域が拡大される（ステップＳ２０２、Ｓ２０３）。
【００１６】
このように、本実施形態のデータ表示システム１にあっては、ユーザが普段の業務で作成したコンテンツデータを格納しているファイルサーバ３からコンテンツデータを取得し、そのコンテンツデータをデータ表示装置３のＦｅＲＡＭ７に格納するようにした。そのため、データ表示装置４のＦｅＲＡＭ７に常に前記コンテンツデータが記憶されている状態とすることができ、例えば、データ表示装置４を複数人で共用する場合、データ表示装置４を使用することが決まった後に、表示対象となるコンテンツデータをデータ表示装置４に転送する作業を行う方法に比べ、データ表示装置４を使用可能な状態とするまでに要する時間を短くすることができ、データ表示装置４の利便性を向上することができる。
【００１７】
また、特定されたユーザ以外に対応づけられているコンテンツデータをＦｅＲＡＭ７から破棄して、ＦｅＲＡＭ７に空き領域を形成し、ＦｅＲＡＭ７の空き領域をワークエリアとしてコンテンツデータの表示処理を実行するようにした。そのため、例えば、ファイルサーバ３から転送されたデータを記憶するための記憶手段と、表示処理を実行するためのワークエリアを形成するための記憶手段とをデータ表示装置４に別体として設ける方法に比べ、データ表示装置全体４として必要なメモリ容量を低減することができる。
【００１８】
上記実施形態にあっては、図１のファイルサーバ３が特許請求の範囲に記載のデータ転送装置を構成し、以下同様に、図３のＦｅＲＡＭ７が記憶手段を構成し、図３の指紋読取器６及びＣＰＵ８、図４のステップＳ２０１が特定手段を構成し、図３のＣＰＵ８、図４のステップＳ２０２が破棄手段を構成し、図３のＣＰＵ８が処理手段を構成する。
なお、本発明のデータ表示システム、及びデータ表示装置は、上記実施の形態に限定されるものではなく、本発明の趣旨を逸脱しない範囲で適宜変更可能である。
【００１９】
上記実施形態では、特定されたユーザ以外に対応づけられているコンテンツデータ（圧縮データ）のみをＦｅＲＡＭ７から破棄する例を示したが、これに限られるものではない。例えば、前記特定されたユーザに対応づけられているコンテンツデータであっても、重要度の低いコンテンツデータは破棄するようにしてもよい。
具体的には、コンテンツデータに予め重要度を設定しておき、図８に示すように、コンテンツ表示装置４のＣＰＵ８によって、前記コンテンツデータのうちＦｅＲＡＭ７に残すコンテンツデータの重要度を設定し（ステップＳ３０１）、その設定結果をＦｅＲＡＭ７に格納させる（ステップＳ３０２）。また、図９に示すように、図４のデータコンテンツを破棄する（ワークエリアを拡大する）処理の最中に（ステップＳ２０２とＳ２０３との間）、前記設定された重要度以下のデータコンテンツを破棄する（ステップＳ４０１）。
【００２０】
さらに、例えば、コンテンツデータを残すユーザを予め設定しておき、その設定されたユーザ以外に対応するコンテンツデータを全て破棄するようにしてもよい。
具体的には、図１０に示すように、ファイルサーバ３によって、ＦｅＲＡＭ７にコンテンツデータを残すユーザを設定し（ステップＳ５０１）、その設定結果をコンテンツデータに付加する（ステップＳ５０２）。また、図１１に示すように、図９のデータコンテンツを破棄する処理の最中に（ステップＳ２０２に代えて）、前記設定されたユーザ以外のデータコンテンツを破棄する（ステップＳ６０１）。
【００２１】
また、ＦｅＲＡＭ７にコンテンツデータを記憶させる例を示したが、これに限られるものではない。例えば、ＭＲＡＭ(Magnetic RAM)に記憶させるようにしてもよい。
【図面の簡単な説明】
【００２２】
【図１】本発明を適用したデータ表示システムの概略構成を示す構成である。
【図２】図１のファイルサーバで行われる処理を示すフローチャートである。
【図３】図１のコンテンツ表示装置の内部構成を示すブロック図である。
【図４】図３のＣＰＵで行われる処理を示すフローチャートである。
【図５】データ表示システムの動作を説明するための説明図である。
【図６】データ表示システムの動作を説明するための説明図である。
【図７】データ表示システムの動作を説明するための説明図である。
【図８】コンテンツ表示装置で行われる処理の変形例を示すフローチャートである。
【図９】コンテンツ表示装置で行われる処理の変形例を示すフローチャートである。
【図１０】ファイルサーバで行われる処理の変形例を示すフローチャートである。
【図１１】コンテンツ表示装置で行われる処理の変形例を示すフローチャートである。
【符号の説明】
【００２３】
１はデータ表示システム、２はパーソナルコンピュータ、３はファイルサーバ、４はコンテンツ表示装置、５は通信コントローラ、６は指紋読取器、７はＦｅＲＡＭ、８はＣＰＵ、９は表示体コントローラ
【図１】
2007219796.tif 000003
【図２】
2007219796.tif 000004
【図３】
2007219796.tif 000005
【図４】
2007219796.tif 000006
【図５】
2007219796.tif 000007
【図６】
2007219796.tif 000008
【図７】
2007219796.tif 000009
【図８】
2007219796.tif 000010
【図９】
2007219796.tif 000011
【図１０】
2007219796.tif 000012
【図１１】
2007219796.tif 000013